(57)【要約】【課題】アカマダラケシキスイなどの害虫等による被害を良好に防ぐことができる樹木用ネットを提供する。【解決手段】梅ノ木１０は、上部及び側部が適宜の間隔を置いて防護ネット３０で覆われている。このため、アカマダラケシキスイなどの害虫が、梅ノ木１０の上部や側部から梅の実１６に産卵しようとしても、梅の実１６との間に距離があるため、産卵や食入ができず、幼虫が梅の実１６につく恐れはない。梅ノ木１０の下部に着目すると、梅ノ木１０の梅の実１６は、受止ネット３４上に落下する。しかし、防護ネット３６が適宜の間隔を置いて設けられているため、アカマダラケシキスイなどの害虫が受止ネット３４の梅の実１６に産卵しようとしても、梅の実１６との間に距離があるため、産卵や食入ができず、幼虫が梅の実１６につく恐れはない。【選択図】図１
2011110013.tif 000002
【特許請求の範囲】
【請求項１】
樹木やその果実に対する被害を防ぐための樹木用ネットであって、
前記樹木の上面及び側面を、樹木又は果実に対して適宜の間隔をおいて覆う第１の防護ネット，
前記樹木の下面を覆い、果実が落下する受止ネット，
この受止ネットと適宜の間隔をおいて設けられている第２の防護ネット，
前記第１の防護ネット，第２の防護ネット，受止ネットをそれぞれ支持するための支持手段，
を備えたことを特徴とする樹木用ネット。
【請求項２】
前記間隔は、樹木又は果実に対する害虫や害鳥による産卵ないし食入を防止するために必要な距離であることを特徴とする請求項１記載の樹木用ネット。
【請求項３】
前記受止ネットを支持する支持手段は、前記樹木の枝に引っ掛けるフックであることを特徴とする請求項１又は２記載の樹木用ネット。
【請求項４】
前記第１の防護ネット，第２の防護ネット，受止ネットのいずれかに、必要に応じて開閉自在の開口を設けたことを特徴とする請求項１〜３のいずれか１項に記載の樹木用ネット。
【請求項５】
前記樹木が梅ノ木であり、前記果実が梅の実であり、前記被害がケシキスイ類による被害であることを特徴とする請求項１〜４のいずれか１項に記載の樹木用ネット。
【発明の詳細な説明】
【技術分野】
【０００１】
本発明は、樹木やその果実に対する虫や鳥などによる被害を防ぐための樹木用ネットの改良に関するものである。
【背景技術】
【０００２】
梅干の原料となる梅の実には、アカマダラケシキスイなどのケシキスイ類による被害が知られている。具体的には、アカマダラケシキスイが梅の実（特に完熟化した梅の実）に産卵したり、幼虫が梅の実に食入することで、梅の実に幼虫がついてしまう。このようなケシキスイ類による被害を防ぐ方法の一つとして、例えば、下記特許文献１記載の「梅の実の除虫方法」がある。これは、収穫した梅の実を３０分〜２時間水中に浸し、ケシキスイ類の幼虫が自ら水中に出てくるのを待って梅の実を引き上げるようにしたものである。
また、他の方法としては、梅の実の収穫回数を１日に複数回に増やす，テフルトリン粒剤，フォース粒剤，バリアード顆粒水和剤などの防除薬剤を地面にまくなどがある。これらの方法は、前記特許文献１記載の方法と併用される。
【先行技術文献】
【特許文献】
【０００３】
【特許文献１】特開２００９−６０８１６号公報
【発明の概要】
【発明が解決しようとする課題】
【０００４】
しかしながら、上述した特許文献１記載の方法では、梅の実を水に漬ける時間，梅の実の量，水の量，その他の理由により、必ずしも１００％幼虫を除去することができるとは限らない。また、作業に多大の労力を必要とし、農家の負担も大きい。加えて、梅の実の中で死んでしまった幼虫は除去することができない。更に、仮に幼虫が出てきたとしても、一度幼虫がついてしまった梅の実は、どうしても商品的価値が低下してしまう。
また、梅の実の収穫回数を増やすことは、農作業への負担が過渡に増大するという不都合があり、薬剤を使用すると、その使用量によっては健康被害が発生する恐れがある。
【０００５】
本発明は、以上のような点に着目したもので、農作業への負担が少なく、健康被害も防ぎつつ、効果的にケシキスイ類などの害虫等による被害を防ぐことができる樹木用ネットを提供することを、その目的とする。
【課題を解決するための手段】
【０００６】
本発明は、樹木やその果実に対する被害を防ぐための樹木用ネットであって、前記樹木の上面及び側面を、樹木又は果実に対して適宜の間隔をおいて覆う第１の防護ネット，前記樹木の下面を覆い、果実が落下する受止ネット，この受止ネットと適宜の間隔をおいて設けられている第２の防護ネット，前記第１の防護ネット，第２の防護ネット，受止ネットをそれぞれ支持するための支持手段，を備えたことを特徴とする。
【０００７】
主要な形態の一つは、前記間隔が、樹木又は果実に対する害虫や害鳥による産卵ないし食入を防止するために必要な距離であることを特徴とする。他の形態の一つは、前記受止ネットを支持する支持手段が、前記樹木の枝に引っ掛けるフックであることを特徴とする。更に他の形態の一つは、前記第１の防護ネット，第２の防護ネット，受止ネットのいずれかに、必要に応じて開閉自在の開口を設けたことを特徴とする。更に他の形態の一つは、前記樹木が梅ノ木であり、前記果実が梅の実であり、前記被害がケシキスイ類による被害であることを特徴とする。本発明の前記及び他の目的，特徴，利点は、以下の詳細な説明及び添付図面から明瞭になろう。
【発明の効果】
【０００８】
本発明によれば、樹木の上面及び側面を第１の防護ネットで覆うとともに、樹木の下面には、落下する果実を受け止める受止ネット及び第２の防護ネットを適宜の間隔で設けることとしたので、次のような効果が得られる。
（１）木になっている果実のみならず、落下した果実に対しても良好に防護効果を得ることができる。
（２）成虫による産卵のみならず、幼虫の食入による被害も防止できる。
（３）ケシキスイ類に対する薬剤の使用を抑制することができ、健康被害の恐れがない。
（４）農作業への負担を低減することができる。
【図面の簡単な説明】
【０００９】
【図１】本発明の実施例１を示す図である。(A)は全体を示す図，(B)は主要部を拡大して示す図である。
【図２】本発明の実施例２を示す図である。(A)は他の柱構造を示す図，(B)は開閉自在の開口を示す図である。
【発明を実施するための形態】
【００１０】
以下、本発明を実施するための最良の形態を、実施例に基づいて詳細に説明する。
【実施例１】
【００１１】
図１(A)には、本発明の実施例１の全体構成が示されている。同図において、梅ノ木１０の主幹１２の近傍には、中央支柱２０が立設されており、梅ノ木１０の枝１４の外側には、複数の外縁支柱２２が適宜の間隔で設けられている。前記中央支柱２０は、その先端が梅ノ木１０の高さよりも高い位置となるように設定されている。
【００１２】
防護ネット３０は、上述した中央支柱２０と外縁支柱２２との間に、梅ノ木１０を覆うように敷設される。このとき、防護ネット３０と梅ノ木１０の枝葉とに適度の間隔が空くように、前記支柱２０，２２の高さや、防護ネット３０の張り具合を調整する。梅ノ木１０の下側には、リング状ないし逆Ｌ字状の多数のフック３２によって、枝１４に受止ネット３４が吊るされている。この受止ネット３４の端縁は、外縁支柱２２付近で、上述した防護ネット３０の端縁に接合している。
【００１３】
ところで、本発明では、上述した梅ノ木１０の下側の受止ネット３４の下に、更に他の防護ネット３６が、適宜の間隔をおいて設けられている。この防護ネット３６の端縁は、外縁支柱２２付近で、上述した防護ネット３０もしくは受止ネット３４の端縁に接合している。ここで、前記受止ネット３４は、フック３２によって梅ノ木１０の枝１４に吊るされている。一方、防護ネット３６は、その自重により下方に垂れ下がる。このため、受止ネット３４と防護ネット３６との間に適宜の間隔Δが形成されるようになる。
【００１４】
防護ネット３０，受止ネット３４，防護ネット３６の目の大きさは、防護の対象となる害虫等の大きさに対応して設定する。ケシキスイ類であれば、その成虫や幼虫が網の目を通過できないような大きさとする。
【００１５】
なお、梅ノ木１０の主幹１２と、前記受止ネット３４・防護ネット３６との間には、必要があれば、防護シート４０を巻きつけるようにする。このとき、この防護シート４０によって、受止ネット３４と防護ネット３６の端部を、梅ノ木１０の主幹１２に固定するようにしてもよい。これにより、主幹１２を伝ってネット内に侵入しようとする害虫等，特にケシキスイ類の幼虫を排除することができる。中央支柱２０や外縁支柱２２にも、同様の防護シートを設けるようにしてよい。
【００１６】
次に、本実施例の全体の作用を説明する。梅ノ木１０は、上述したように、上部及び側部が適宜の間隔を置いて防護ネット３０で覆われている。このため、ケシキスイ類などの害虫が、梅ノ木１０の上部や側部から梅の実１６に産卵しようとしても、梅の実１６との間に距離があるため、産卵ができず、幼虫が梅の実１６（特に完熟化した梅の実）につく恐れはない。ケシキスイ類などの幼虫のネット内への侵入も防止され、食入による被害も防止される。梅ノ木１０の下部においても同様である。
【００１７】
一方、梅ノ木１０の下部に着目すると、梅ノ木１０の梅の実１６は、受止ネット３４上に落下する。防護ネット３６がないと、ケシキスイ類などの害虫が受止ネット３４の網の目から梅の実１６に産卵する恐れがある。しかし、本発明では、防護ネット３６が、受止ネット３４に対して適宜の間隔を置いて設けられている。このため、ケシキスイ類などの害虫が受止ネット３４の梅の実１６に産卵しようとしても、梅の実１６との間に距離があるため、産卵ができず、幼虫が梅の実１６につく恐れはない。図１(B)には、その様子が示されており、害虫５０が梅の実１６に産卵しようとしても、受止ネット３４と防護ネット３６との間の間隔Δによって良好に防止される。なお、梅ノ木１０から落下した梅の実１６は、例えば受止ネット３４に傾斜を設けることで、簡単に集めることができる。つまり、受止ネット３４を収穫ネットとして利用することができる。加えて、受止ネット３４及び防護ネット３６がいずれもネットとなっているので、雨水がたまるなどの不都合もない。
【００１８】
更に、防護ネット３０，受止ネット３４，防護ネット３６によって梅ノ木１０が全体として覆われているため、ネット内の温度が上昇する。網の目が小さいほど、上昇の程度は大きい。温度が上昇すると、梅の実１６の等級も上がるようになり、より良質な梅の実を得ることができる。加えて、風が吹くと梅の実１６が梅ノ木１０から落下するが、その風の影響が低減されるようになり、梅の実１６の落下も遅れるようになって、完熟の度合いが増すようになる。このような観点からも、梅の実１６の等級向上が期待できる。更に、ケシキスイ類に対する薬剤を使用しない，あるいは使用量を低減することができるので、健康被害も防ぐことができる。また、梅の実１６の収穫回数を増やす必要もないので、農作業への負担も軽減される。
【実施例２】
【００１９】
次に、図２を参照しながら、本発明の実施例２について説明する。図２(A)の例は、上述した中央支柱２０の先端に複数のビーム１００を異なる方向に設け、このビーム１００の上から防護ネット３０を被せるようにした例である。防護ネット３０の下側は、図１と同様としてよい。中央支柱２０に対して、ちょうど傘が開くように、ビーム１００及び防護ネット３０を設けた構造としてもよい。
【００２０】
図２(B)の例は、防護ネット３０に対して、消毒などのための開口を設けた例である。防護ネット３０にネットが解れないように補強部２００を形成し、この補強部２００の中央付近に、ジッパーや面ファスナーなどによって開閉自在の開口２０２を形成する。このような開口２０２は、必要に応じて複数設けてもよい。また、下側の受止ネット３４や防護ネット３６に設けるようにしてもよい。特に、下側の受止ネット３４や防護ネット３６に設けた開口２０２を、梅の実１６の収穫用に利用することもできる。
【００２１】
なお、本発明は、上述した実施例に限定されるものではなく、本発明の要旨を逸脱しない範囲内において種々変更を加えることができる。例えば、以下のものも含まれる。
（１）前記実施例で示したネットの設置方法はいずれも一例であり、各種の公知の方法を用いてよい。ネットや支柱などの形状や構造も、公知の各種のものを適用してよい。
（２）各ネットやシートに、防虫用あるいは防鳥用の忌避剤を塗布ないし含有させるようにして、積極的に害虫などを排除するようにしてもよい。
（３）受止ネット３４と防護ネット３６との間にスペーサを設ける，防護ネット３６にウエイトを取り付ける，防護ネット３６自体を重量のある素材とする，などの方法で、受止ネット３４と防護ネット３６との間隔Δを確実に確保するようにしてもよい。
（４）本発明の好適な例としては、梅の実に対するケシキスイ類の被害防止であるが、他の害虫や害鳥による被害防止に適用することを妨げるものではない。
【産業上の利用可能性】
【００２２】
本発明によれば、樹木の全体をネットで覆うとともに、下側でネットを２重としたので、木になっている果実のみならず、落下した果実に対しても良好に防護効果を得ることができ、果樹全般，特に梅の実に対するケシキスイ類による被害の防止に好適である。
【符号の説明】
【００２３】
１０：梅ノ木
１２：主幹
１４：枝
１６：実
２０：中央支柱
２２：外縁支柱
３０：防護ネット
３２：フック
３４：受止ネット
３６：防護ネット
４０：防護シート
５０：害虫
１００：ビーム
２００：補強部
２０２：開口
Δ：間隔
【図１】
2011110013.tif 000003
【図２】
2011110013.tif 000004